(57)【要約】【課題】  本発明は、通気性が優れると共に、ハウジング内部から光漏れのないストロボ発光装置を提供することを目的とする。【解決手段】  反射笠の曲面部とハウジングの直線部との間に生じるスペースに、上側ハウジングには孔部と係合部、下側ハウジングには上側ハウジングの孔部の下に上側ハウジングとの係合部を有する。【選択図】  図１
2006030387.tif 000002
【特許請求の範囲】
【請求項１】
曲面を有する反射笠、発光管、反射笠の前面を覆うフレネルレンズを有し、これらを上下２体化されたハウジングにより保持するストロボ発光装置において、前記反射笠の曲面部と上側ハウジングの直線部との間に生じるスペースに、前記上側ハウジングには孔部を、その内部にはハウジング内からハウジング外への光の漏れを防止する部材を配置した事を特徴とするストロボ発光装置。
【請求項２】
前記上側ハウジングには孔部と係合部を、前記下側ハウジングには上側ハウジングの孔部の下に前記上側ハウジングとの係合部を有していることを特徴とする請求項１に記載のストロボ発光装置。
【発明の詳細な説明】
【技術分野】
【０００１】
本発明は、カメラのストロボ発光装置、さらに詳しくはストロボユニットのハウジングの構造に関するものである。
【背景技術】
【０００２】
従来カメラに内蔵されるストロボ発光装置としては、発光管、反射笠、フレネルレンズを有し、上ハウジングと下ハウジングの２部品にて前記各部材を保持するようにしたものが一般的である。こうしたストロボ発光装置において、ハウジング同士の固定には左右、または背面に係合爪やビスなどを利用して行う。その結果、ストロボ発光装置は、内部構成部品を保持する容積よりも大きな外形をもつ構造物になってしまう場合がある。その為、一般的なＲ形状を有する反射笠を用いたストロボ発光装置においては、ハウジングと反射笠の間のデッドスペースを有効活用する事が小型化につながる。例えば、特許文献１においては、Ｒ形状をもつ反射笠と直線的なカメラ本体外装部との間に生じるデッドスペースに、トランスなどの電気回路の構成物を配置する事により、ストロボ発光装置自体の小型化を実現している。
【特許文献１】特開２００２−３５０９４６号公報
【特許文献２】特開２００３−２８００６８号公報
【発明の開示】
【発明が解決しようとする課題】
【０００３】
上記従来例においては、ストロボを発光させる電気回路の配置構成により省スペース化を図ることができた。しかし、実際は、ストロボ発光装置内の全体で省スペース化を図り、電気回路はカメラ本体内における他のスペースを有効活用し、電気的に有利な場所に配置する。また、電気回路を発光部付近に近接する事は、電気部品、発光管、フレネルレンズなどに対する熱の影響で、トラブルが生じやすい。その為、ストロボの発光部はハウジング内で独立させ、電気回路とは距離を離すか、断熱された部材を介して配置する事が好ましい。また、ストロボのハウジング内における、発光管、フレネルレンズも基本的には熱に弱い為、ハウジング内の冷却も重要な課題になっている。
【課題を解決するための手段】
【０００４】
本発明は、上記課題を解決する為に、曲面を有する反射笠、発光管、反射笠の前面を覆うフレネルレンズを有し、これらを上下２体化されたハウジングにより保持するストロボ発光装置において、前記反射笠の曲面部と上側ハウジングの直線部との間に生じるスペースに、前記上側ハウジングには孔部を、その内部にはハウジング内からハウジング外への光の漏れを防止する部材を配置した事を特徴とするストロボ発光装置を提供する。
【発明の効果】
【０００５】
本発明のストロボ発光装置において、反射笠の曲面部とハウジング部の直線部に生じるデッドスペースを有効活用する事により省スペースを実現するだけでなく、上側ハウジングに孔部を設ける事により通気性が向上しストロボ装置内部の冷却が可能となる。また、下側ハウジングの係合部が、上側ハウジングの孔部を遮光する位置に配置される事により、ハウジング内部からの外部への光漏れを防ぐ。
【発明を実施するための最良の形態】
【０００６】
以下に本発明の実施例を、図面を参照して説明する。
【０００７】
図１は、カメラに搭載した本発明のストロボ発光装置の構成を示した断面図である。また、図２は、ストロボ発光装置の全体を示す分解斜視図である。
【０００８】
発光管２の背面には反射笠３を、前面部にはフレネルレンズ１を配置する。発光管２は、下側ハウジング５に反射笠３を挟み込むようにシリコンゴム等から成る弾性部材６にて位置決めされ保持される。反射笠３の背面方向下側は、図３に示すように後方に延長され基板８に実装された不図示のトリガーコイルに接続される。また、このトリガーコイルは、トリガーキャップ７によって覆われ保護される。フレネルレンズ１は、カメラ本体における左右方向は下側ハウジング５に位置決めされ、更に下側ハウジング５に対し奥行き方向に突き当てられる。フレネルレンズ１の上下方向は、上側ハウジング４が下側ハウジングに係合する爪部により固定される。また、上側ハウジング４は、フレネルレンズ１に対し前面方向への付勢を行う事により、フレネルレンズ１は、カメラ本体に対して上下、左右、奥行き方向、の全てにおいて付勢されつつ保持される。
【０００９】
前述のようにして、フレネルレンズ１、発光管２、反射笠３をハウジング内に保持し、ストロボ発光装置の機能をなす。この時、曲面を持つ反射笠３と、直線部を持つ下側ハウジング５の壁との間には空間９が生じる（図３参照）。
【００１０】
図３は、本発明におけるストロボ発光装置の、下側ハウジング５に対して上側ハウジング４の上下方向を固定する為の爪部の断面を示したものである。また、図４は、爪部を説明する図１のＡ部詳細図である。図５は、下側ハウジング５に対して上側ハウジング４の奥行き方向を固定する為の凸部を説明する図３のＢ部詳細図である。図６は、上側ハウジング４の孔部１０を説明する為の、ストロボ発光装置の上面図である。図７は、図６のＣ部詳細図である。
【００１１】
上側ハウジング４の上下方向の付勢は、上側ハウジング爪部１２が下側ハウジング爪部１１と係合する事により行われる。また、上側ハウジング４の奥行き方向は、下側ハウジング凸部１５が上側ハウジング４の突き当て位置１６で引っかかり前面方向に付勢され、背面方向には上側ハウジング爪部１２と下側ハウジング爪部１１との突き当て位置１７によって付勢される。上側ハウジング４の孔部１０は、前記突き当て位置１６、１７の間の範囲に開けられる。また、上側ハウジング４の左右方向は、上側ハウジング４に溝部１８を作り、下側ハウジング５のリブ１９に係合させる。前記溝部１８は、遮光リブ１４にて遮光される位置まで切り込む事が可能となる。
【００１２】
前述の通り、上側ハウジング４に孔部１０を開ける事により、通気性が増し、上下ハウジング内に熱がこもり、発光管２やフレネルレンズ１が熱によって破損される事を防ぐ。通常、上側ハウジング４に孔部１０を開ける事によりストロボ発光装置から光漏れが生じるが、下側ハウジング５内の空間９に設けられた下側ハウジング爪部１１と遮光リブ１４によって遮光する事により防ぐ。また、上側ハウジング４と下側ハウジング５を固定する為の部材が必ず必要になるが、反射笠３の曲面部とハウジングの直線部との空間９に配置する事により、ハウジング外形から張り出した形状を作成する必要がなくなり、カメラ本体内の省スペース化が実現出来る。
【図面の簡単な説明】
【００１３】
【図１】ストロボ発光装置の構成を説明する断面図。
【図２】ストロボ発光装置の全体を示す分解斜視図。
【図３】ストロボ発光装置のハウジングにおいて、上下方向と前面方向の付勢状態を説明する断面図。
【図４】図１のＡ部における詳細図。
【図５】図３のＢ部における詳細図。
【図６】ストロボ発光装置の上面図。
【図７】図６のＣ部における詳細図。
【符号の説明】
【００１４】
１  フレネルレンズ
２  発光管
３  反射笠
４  上側ハウジング
５  下側ハウジング
９  空間
１０  孔部
１１  下側ハウジング爪部
１２  上側ハウジング爪部
【図１】
2006030387.tif 000003
【図２】
2006030387.tif 000004
【図３】
2006030387.tif 000005
【図４】
2006030387.tif 000006
【図５】
2006030387.tif 000007
【図６】
2006030387.tif 000008
【図７】
2006030387.tif 000009